(57)【要約】【課題】電力周波数キャリア通信装置を提供する。【解決手段】ワンチップ制御モジュールと電力キャリアモジュール及び電力モジュールが含有され、ワンチップ制御モジュールは、入力受信装置と出力制御装置、制御モジュール及び通信インターフェース等の機能モジュールが含有される。信号が電力キャリアモジュールに伝送されて信号変調されてから、ワンチップ制御モジュールにより検知して、伝送モードと速度を設定した後、電力キャリアモジュールにより制御命令を出力し、また、電力線を介して他の電力キャリアモジュールに伝送され、制御命令を元の信号に回復し、これにより、信号データの双方向伝送が実現される。【選択図】図１Ａ
0003126833.tif 000002
【実用新案登録請求の範囲】
【請求項１】
少なくとも、
入力受信装置と出力制御装置と制御モジュールと通信インターフェースが含有されるワンチップ制御モジュールと、
電力キャリアモジュールと、
当該ワンチップ制御モジュールと当該電力キャリアモジュールに電源を供給する電力モジュールと、
外部入出力装置と、
作動状態を表示する信号指示装置と、
が含有され、
当該通信装置が当該外部入出力装置で電力線から信号を受信し、当該信号が当該電力キャリアモジュールに入力されて変調された後、当該ワンチップ制御モジュールで伝送モードと速度を検知して設定してから当該電力キャリアモジュールにより当該外部入出力装置に当該電力線を介して制御命令を伝送する、
ことを特徴とする電力周波数キャリア通信装置。
【請求項２】
当該制御モジュールが８０５１ワンチップであることを特徴とする請求項１に記載の電力周波数キャリア通信装置。
【請求項３】
当該電力周波数キャリア通信装置の伝送速度が１２００ＢＰＳであることを特徴とする請求項１に記載の電力周波数キャリア通信装置。
【請求項４】
当該信号変調が周波数変移（Ｆｒｅｑｕｅｎｃｙ  Ｓｈｉｆｔ  Ｋｅｙｉｎｇ、ＦＳＫ）変調や振幅変移（Ａｍｐｌｉｔｕｄｅ  Ｓｈｉｆｔ  Ｋｅｙｉｎｇ、ＡＳＫ）変調から選ばれた一つであることを特徴とする請求項１に記載の電力周波数キャリア通信装置。
【考案の詳細な説明】
【技術分野】
【０００１】
本考案は、電力周波数キャリア通信装置に関し、特に、ワンチップ制御モジュールと電力キャリアモジュールと電力モジュールとが含有され、信号が当該電力キャリアモジュールにより変調された後、当該ワンチップ制御モジュールにより伝送モードと速度を検知して設定し、電力線を介して双方向にデータ伝送され、電力線コンベヤシステムやインテリジェント型自動化制御器及びマルチメディア通信システムに適用できるものに関する。
【背景技術】
【０００２】
通信システムの発展とともに、社会の通信システムに対する需要も増加し、当該需要に対応するために、ケーブルモデムや対称型データ網、無線ボードバンド及び電力線構内情報通信網等の技術が、絶えず進歩して改善され、また、各種類の電器設備に応用され、当該電器設備は、基本の使用機能の他に、通信システムにより使用範囲が広がっている。
【０００３】
今日の商工社会において、当該通信システムは、オフィス設備（例えば、コンピュータやその周辺設備）として利用されるだけでなく、コンピュータチップを含有するインテリジェント型家電（例えば、冷蔵庫や皿洗機、電子レンジ及び電磁プレート等）やマルチメディアシステム（例えば、ビデオ設備やステレオ、ＴＶ及び電話等）に幅広く適用されるが、生活環境が所定の領域環境（例えば、オフィスビルや団地或いはマンション等）に限られていて近距離であるため、ネットワーク素子（例えば、ケーブルやハブ）により構内情報通信網での信号データを伝送し、当該ネットワーク素子にはネットワーク回線を敷くことが必要で、即ち、回線の敷設工程やメンテナンス及び故障検査等によりコストが高くなり、また、不便であり、そして、近距離であるのに信号データを伝送するにインターネットシステムや構内情報通信網システム或いはモデム等により、伝送の目的が達成され、それは、実に、実用的ではないものである。
【考案の開示】
【考案が解決しようとする課題】
【０００４】
本考案の主な目的は、実用的でありながら低コストで、電力線でデータを伝送できる電力周波数キャリア通信装置を提供する。
【課題を解決するための手段】
【０００５】
請求項１の考案は、少なくとも、入力受信装置と出力制御装置と制御モジュールと通信インターフェースが含有されるワンチップ制御モジュールと、電力キャリアモジュールと、当該ワンチップ制御モジュールと当該電力キャリアモジュールに電源を供給する電力モジュールと、外部入出力装置と、作動状態を表示する信号指示装置と、が含有され、当該通信装置が、当該外部入出力装置で電力線から信号を受信し、当該信号が当該電力キャリアモジュールに入力されて変調された後、当該ワンチップ制御モジュールで伝送モードと速度を検知して設定してから当該電力キャリアモジュールにより当該外部入出力装置に当該電力線を介して制御命令を伝送する、ことを特徴とする電力周波数キャリア通信装置である。
【０００６】
請求項２の考案は、当該制御モジュールが８０５１ワンチップであることを特徴とする請求項１に記載の電力周波数キャリア通信装置である。
【０００７】
請求項３の考案は、当該電力周波数キャリア通信装置の伝送速度が１２００ＢＰＳであることを特徴とする請求項１に記載の電力周波数キャリア通信装置である。
【０００８】
請求項４の考案は、当該信号変調が周波数変移（Ｆｒｅｑｕｅｎｃｙ  Ｓｈｉｆｔ  Ｋｅｙｉｎｇ、ＦＳＫ）変調や振幅変移（Ａｍｐｌｉｔｕｄｅ  Ｓｈｉｆｔ  Ｋｅｙｉｎｇ、ＡＳＫ）変調から選ばれた一つであることを特徴とする請求項１に記載の電力周波数キャリア通信装置である。
【考案を実施するための最良の形態】
【０００９】
図１Ａは、本考案に係わる電力周波数キャリア通信装置の概念図である。本考案に係わる電力周波数キャリア通信装置は、図のように、ワンチップ制御モジュール１と、電力キャリアモジュール２と、当該ワンチップ制御モジュール１と当該電力キャリアモジュール２に電源を供給する電力モジュール３とが含有され、当該ワンチップ制御モジュール１は、入力受信装置と出力制御装置と制御モジュール及び通信インターフェース等の機能モジュールを有する。
【００１０】
信号が、外部入出力装置４から電力線（図中未表示）を介して、当該電力キャリアモジュール２に入力されて変調された後、当該ワンチップ制御モジュール１により伝送モードと速度を検知して設定し、また、発光ダイオードや有機発光ダイオードを利用する信号指示装置５で作動状態を表示し、それから、当該電力キャリアモジュール２により制御命令を当該外部入出力装置４に伝送し、また、当該電力線を介して伝送する。
【００１１】
図１Ｂは、本考案に係わる電力周波数キャリア通信装置制御流れの概念図である。本考案の制御流れは、図のようであり、本考案は、システム駆動３１後、入力点の状態３２を収集し、受信設備を指定して、収集したデータについて符号化３３し、また、電力線６を介してデータ伝送３５を行い、その後、本考案において、当該電力線３４から返送する応答データ３５を待ち、そして、データ受信が成功か３６を判断し、成功である場合、受信したデータに基づいて出力状態３７を変更する。
【００１２】
図１Ｃ〜１Ｈは、本考案に係わる電力周波数キャリア通信装置の回路概念図と本考案に係わる電力周波数キャリア通信装置の外部入出力装置の実施例、本考案に係わる電力周波数キャリア通信装置がＲＳ２３２インターフェースを有する時の実施例、本考案に係わる電力周波数キャリアモジュールのオペレートモードの実施例、本考案に係わるワンチップ制御モジュールの実施例と本考案に係わる電力周波数キャリア通信装置の電力キャリアの使用範囲及びキャリア周波数とデータ伝送速度の実施例である。
【００１３】
図２Ａ、２Ｂは、本考案に係わるワンチップ制御モジュールと電力キャリアモジュールのＦＳＫ回路の概念図と、本考案に係わる電力キャリアモジュールのＡＳＫ回路の概念図である。本考案に係わる電力周波数キャリア通信装置は、当該電力キャリアモジュール２により、当該信号を変調し、当該信号変調は、周波数変移（Ｆｒｅｑｕｅｎｃｙ  Ｓｈｉｆｔ  Ｋｅｙｉｎｇ、ＦＳＫ）変調や振幅変移（Ａｍｐｌｉｔｕｄｅ  Ｓｈｉｆｔ  Ｋｅｙｉｎｇ、ＡＳＫ）変調であり、当該振幅変移変調は、最も速く利用される簡単のディジタルユニット変調であり、当該周波数変移変調は、方形パルスシリアルによって制御されるスイッチ回路で、二つの異なる独自の周波数ユニットについて、ゲーティングし、耐ノイズ性がよく、大幅にディジタル通信に使用される。当該信号は、上記の信号変調により信号変調された後、当該ワンチップ制御モジュール１に伝送され、当該制御モジュール１３により、伝送モードと伝送速度が設定され、また、当該入力受信装置１１の状態を検知して、制御命令を伝送し、当該制御命令が、当該電力キャリアモジュール２により変調された後、出力され、また、電力線６を介して双方向受信と伝送を行う。
【００１４】
図３Ａと３Ｂは、本考案に係わるワンチップ制御モジュールのブロック概念図と本考案に係わるワンチップ制御モジュールの回路概念図である。図のように、本考案の当該ワンチップ制御モジュール１は、入力受信装置１１と出力制御装置１２、制御モジュール１３、通信インターフェース１４及びリレーモジュール１５が含有され、当該制御モジュール１３は、優れた内部構造を有する８０５１ワンチップである処理ユニットで、動作周波数が１６ＭＨｚであり、４Ｋである消去可能プログラマブルＲＯＭ（Ｅｌｅｃｔｒｏｎｉｃ  Ｐｒｏｇｒａｍ  Ｒｅａｄ  Ｏｎｌｙ  Ｍｅｍｏｒｙ、ＥＰＲＯＭ）があり、また、８組の入力端と８組の出力端を提供し、当該ワンチップ制御モジュール１の安全作動を確保と制御するため、当該出力端において、それぞれ、当該リレー１５により回路を隔離する。当該８０５１ワンチップの内部に、１組の全二重である通信インターフェース１４が含有され、当該通信インターフェース１４は、ＲＳ２３２インターフェースで、同時に外部からのデータを伝送と受信でき、その動作信号が、全てＴＴＬレベル（論理０が０Ｖ、論理１が＋５Ｖ）であるため、当該通信インターフェース１４は、シリアル通信で、一連のビット型式により、データを伝送や受信し、これにより、制御器（例えば、ディジタル式キャリヤー或いは自動測定器）や設備或いはコンピュータの間にコネクションを容易に確立する。
【００１５】
図４は、本考案に係わる電力周波数キャリア通信装置の内部信号伝送の概念図である。本考案に係わる電力周波数キャリア通信装置の内部信号伝送方式は、図のように、当該外部入出力装置４により当該電力線６から当該信号を受信した後、当該電力キャリアモジュール２に入力して信号変調され、信号変調された当該信号が、当該ワンチップ制御モジュール１に伝送され、当該ワンチップ制御モジュール１に、当該入力受信装置１１と当該出力制御装置１２と当該制御モジュール１３と当該通信インターフェース１４と当該リレーモジュール１５があり、当該制御モジュール１３により、伝送モードと伝送速度が設定され、また、当該入力受信装置１１の状態を検知し、そして、当該信号指示装置５により作動状態を表示し、また、当該出力制御装置１２により制御命令を伝送し、そして、当該電力キャリアモジュール２により変調されてから、当該外部入出力装置４へ伝送されて、当該電力線６を介して出力される。
【００１６】
図５は、本考案に係わる電力周波数キャリア通信装置の信号の双方向伝送の概念図である。図のように、当該信号は、当該外部入出力装置４から当該ワンチップ制御モジュール１の当該入力受信装置１１を介して当該電力線６に入力された後、当該制御モジュール１３を駆動してシリアル伝送モードと速度を設定開始し、また、当該入力受信装置１１の入力点状態を検知し、また、当該出力制御装置１２に対して、制御命令を実行し、そして、当該電力キャリアモジュール２によって信号変調されてから、電力線６を介して、当該制御命令を他の外部入出力装置４１の他の電力キャリアモジュール２１に伝送され、他の電力キャリアモジュール２１が当該制御命令を受信した後、当該制御命令を、元の信号に回復して設備７に伝送し、これにより、信号データの双方向伝送が実現される。
【００１７】
本考案に係わる電力周波数キャリア通信装置の伝送速度は１２００  ＢＰＳであり、また、電力線を介して信号データを伝送するため、大幅に配線工程等の問題を低減できることによりコストを節約でき、また、電力線コンベヤシステムやインテリジェント型自動化制御器及びマルチメディア通信システムに適用できる。
【００１８】
以上のように、本考案に係わる電力周波数キャリア通信装置は、「ワンチップ制御モジュールで検知と設定し、電力線で伝送する」ことを利用するため、有効に従来の様々の欠点を改善でき、配線工程等を低減できることにより、コストを節約でき、また、本考案は、より進歩的、より実用的であるため、法に従って実用新案登録請求を出願する。
【００１９】
以上は、ただ、本考案のより良い実施例であり、本考案は、それによって制限されず、本考案に係わる実用新案登録請求や明細書の内容に従って行う等価の変更や修正は、全てが、本考案の実用新案登録請求の範囲内に含まれる。
【図面の簡単な説明】
【００２０】
【図１Ａ】本考案に係わる電力周波数キャリア通信装置の概念図
【図１Ｂ】本考案に係わる電力周波数キャリア通信装置の制御流れの概念図
【図１Ｃ】本考案に係わる電力周波数キャリア通信装置の回路概念図
【図１Ｄ】本考案に係わる電力周波数キャリア通信装置の外部入出力装置の実施例
【図１Ｅ】本考案に係わる電力周波数キャリア通信装置にＲＳ２３２インターフェースを有する時の実施例
【図１Ｆ】本考案に係わる電力周波数キャリアモジュールのオペレートモードの実施例
【図１Ｇ】本考案に係わるワンチップ制御モジュールの実施例
【図１Ｈ】本考案に係わる電力周波数キャリア通信装置の電力キャリア使用範囲とキャリア周波数及びデータ伝送速度の実施例
【図２Ａ】本考案に係わるワンチップ制御モジュールと電力キャリアモジュールのＦＳＫ回路の概念図
【図２Ｂ】本考案に係わる電力キャリアモジュールのＡＳＫ回路の概念図
【図３Ａ】本考案に係わるワンチップ制御モジュールのブロック概念図
【図３Ｂ】本考案に係わるワンチップ制御モジュールの回路概念図
【図４】本考案に係わる電力周波数キャリア通信装置の内部信号伝送の概念図
【図５】本考案に係わる電力周波数キャリア通信装置の信号の双方向伝送の概念図
【符号の説明】
【００２１】
１          ワンチップ制御モジュール
１１        入力受信装置
１２        出力制御装置
１３        制御モジュール
１４        通信インターフェース
１５        リレー
２          電力キャリアモジュール
２１        電力キャリアモジュール
３          電力モジュール
４          外部入出力装置
５          信号指示装置
６          電力線
７          設備
【図１Ａ】
0003126833.tif 000003
【図１Ｂ】
0003126833.tif 000004
【図１Ｃ】
0003126833.tif 000005
【図１Ｄ】
0003126833.tif 000006
【図１Ｅ】
0003126833.tif 000007
【図１Ｆ】
0003126833.tif 000008
【図１Ｇ】
0003126833.tif 000009
【図１Ｈ】
0003126833.tif 000010
【図２Ａ】
0003126833.tif 000011
【図２Ｂ】
0003126833.tif 000012
【図３Ａ】
0003126833.tif 000013
【図３Ｂ】
0003126833.tif 000014
【図４】
0003126833.tif 000015
【図５】
0003126833.tif 000016